(57)【要約】      （修正有）【課題】軽くて弾性機能を備えたプラスチックを基材として用い、かつ、必要な彩色と、景色などの意匠を施して、使用感が快適で反覆使用可能な、プラスチック製折り曲げ組立可能の屑入れ箱の提供。【解決手段】平板状の弾性を有する０．５ｍｍ以下のプラスチック積層板１を切裁して得られる材料の中央部に略正方形の意匠区画部２を四個連設して、風景その他の意匠を施し、この意匠区画部２の上部辺部に沿って一つ置きに止板部３と係止板部４とを一対ずつ設け、前記意匠区画部２の下部辺部に沿ってそれぞれ異なる止片７，８，９，１０を設け、四個の意匠区画部２と、止板部３と、係止板部４と、止片７，８，９，１０とのそれぞれの連設部を折曲線として、前記意匠区画部２を四角筒状に折り曲げ、かつ止板部３と、係止板部４と、止片７，８，９，１０を折り曲げて、表面１１と底面６を備えた箱本体１３を形成する。【選択図】図１
0003115895.tif 000002
【実用新案登録請求の範囲】
【請求項１】
平板状の弾性を有する０．５ｍｍ以下のプラスチック積層板を切裁して得られる材料の中央部に略正方形の意匠区画部を四個連設して、風景その他の意匠を施し、この意匠区画部の上部辺部に沿って一つ置きに止板部と係止板部とを一対ずつ設け、前記意匠区画部の下部辺部に沿ってそれぞれ異なる止片を設け、四個の意匠区画部と、止板部と、係止板部と、止片とのそれぞれの連設部を折曲線として、前記意匠区画部を四角筒状に折り曲げ、かつ止板部と、係止板部と、止片を折り曲げて、表面と底面を備えた箱本体を形成すると共に、この箱本体の表面に表われる一対の係止板部に弾性を有する開口部を形成して成ることを特徴とするプラスチック製折り曲げ組立可能の屑入れ箱。
【請求項２】
箱本体の表面の開口部を形成する一対の止板部の相対向する形状が、直状ないしは弧状であることを特徴とする請求項１記載のプラスチック製折り曲げ組立可能の屑入れ箱。
【考案の詳細な説明】
【技術分野】
【０００１】
本考案は、紙屑，鼻紙など、種々の屑物を簡単に捨てられ、収納できるプラスチック製折り曲げ組立可能の屑入れ箱に関する。
【背景技術】
【０００２】
この種の屑物入れは、木製，プラスチック，金属などの種々の材料を用いて商品化され、家庭，会社などで広く使用されている。
【０００３】
ところで、本考案者が考案した厚紙製の使捨て屑入れが知られている（例えば、特許文献１参照。）。
【０００４】
この屑入れは、厚紙を用いているので、肉厚となり、しかも紙製であって、弾性が乏しい。
【特許文献１】実公昭５１−１８９０８号公報
【考案の開示】
【考案が解決しようとする課題】
【０００５】
上記特許文献１によれば、厚紙を用いたと雖も、紙製であるため、緻密性に欠け、水分など液体分を含んだ屑の収納には不適であると共に、使捨てであるので、反覆使用ができず、不経済であるなどの不都合があった。
【０００６】
さらに、箱を構成するため、薄紙では保形できず厚紙を使用しなければならず、経済性に欠けると言う不都合があった。
【０００７】
その上、紙製であるために、屑物を挿入する際、開口部が反覆使用で弾性的に復元できないなどの欠陥があった。
【０００８】
本考案は、叙上の点に着目して成されたもので、軽くて、しかも反覆使用で劣化しない弾性機能を備えたプラスチックを基材として用い、かつ、必要な彩色と、景色などの意匠を施して、使用感が快適で反覆使用可能な、プラスチック製折り曲げ組立可能の屑入れ箱を提供することを目的とする。
【課題を解決するための手段】
【０００９】
本考案は、以下の構成を備えることにより、上記課題を解決できる。
【００１０】
（１）平板状の弾性を有する０．５ｍｍ以下のプラスチック積層板を切裁して得られる材料の中央部に略正方形の意匠区画部を四個連設して、風景その他の意匠を施し、この意匠区画部の上部辺部に沿って一つ置きに止板部と係止板部とを一対ずつ設け、前記意匠区画部の下部辺部に沿ってそれぞれ異なる止片を設け、四個の意匠区画部と、止板部と、係止板部と、止片とのそれぞれの連設部を折曲線として、前記意匠区画部を四角筒状に折り曲げ、かつ止板部と、係止板部と、止片を折り曲げて、表面と底面を備えた箱本体を形成すると共に、この箱本体の表面に表われる一対の係止板部に弾性を有する開口部を形成して成ることを特徴とするプラスチック製折り曲げ組立可能の屑入れ箱。
【００１１】
（２）箱本体の表面の開口部を形成する一対の止板部の相対向する形状が、直状ないしは弧状であることを特徴とする前記（１）記載のプラスチック製折り曲げ組立可能の屑入れ箱。
【考案の効果】
【００１２】
本考案によれば、全体が０．５ｍｍ以下の薄層の弾性を有するプラスチック製であり、プラスチック自体の有する弾性機能により、屑物入れ部分は、適度の弾性作用を呈して開口し、屑物入れに際しても軽快に行え、処理後も自らの復元力で原状に戻り、開口部が閉塞されるので、箱本体が傾倒しても収納された屑物が外部にこぼれることがない。また、箱本体全体が彩色かつ、外表面周辺には景色などの印刷された意匠が施されているので、体裁よく、周囲の環境によく適合できると共に、反覆使用が可能であるので、長期の使用にも堪えることができる。
【考案を実施するための最良の形態】
【００１３】
以下に、本考案の一実施例を説明する。
【実施例】
【００１４】
１は一枚の平板状のプラスチック切裁材料で、例えばポリプロピレン（Ｐ，Ｐ）とかポリエチレンテレフタレート（ＰＥＴ）等の積層材料で構成され、透明板１ａ上に彩色板１ｂおよび風景、模様などの意匠板１ｃが順次と積層プリントされており、全体として約０．５ｍｍ以下の薄層体で構成されている。２は、中央に形成される略正方形の四個の意匠区画部、３は上部に形成される略凹字状の止板部、４はこの止板部３で係止される山形の係止板部を示し、之等、止板部３と係止板部４とは各意匠区画部２の上部各辺に一つ宛毎に一対ずつ設けてあり、プラスチック切裁材料１を四角筒状に組み立てた際、一対の山形の係止板部４は、一対の止板部３で組み込まれて、一対の山形の係止板部４の端面が、表面１１の屑入れの開口部５を形成できるものである（図２参照。）。
【００１５】
６は、各意匠区画部２に突設した折畳み組立自在の底面を示し、各意匠区画部２の下部各辺に沿って、それぞれ異なる形状の止片７，８，９，１０を設けて、之等止片７，８，９，１０によって、四角筒状に組み立てられた際の底面６を形成できる。
【００１６】
そして、四角筒状に組み立てられた状態で、透明ののり代１２により意匠区画部２の端部に接着固定して箱本体１３を得ることができる。
【００１７】
また、図示しないが開口部５を形成するに当り、凹字状の止板部３に代えて、多角状とか略半円弧状の異なる形状として形成し、開口部５と直交する止板部３の相対向する形状Ｘを、直状ないし弧状など好みの形状とすることができる。
【００１８】
また、一板の平板状のプラスチック切裁材料１は、長尺なプラスチック材料を型に合わせたカッターや折り目付け具を用い、外形の切断と各部材の折曲線１４を、一体的に加工処理することができる。
【００１９】
この考案によれば、叙上の構成に成るので、各意匠区画部２や上部の止板部３、係止板部４の下部の多数の止片７，８，９，１０をその折曲線１４に沿って折り曲げて、四角筒状の箱本体１３を形成できる。この箱本体１３の表面１１には、一対で二枚構成の係止板部４によって開口部５が形成されるので、指でつかんだ屑は、この開口部５を押下して内部に屑を落とすことができると共に、指の押圧を解除すれば、プラスチック自体の弾性反発力で原状に復し、開口部５を閉止できる。
【００２０】
そして、満杯になったら、底面６を開いて内容物の屑などを別の廃棄場所へ投棄し、空にしてから再び同様に反覆使用できる。
【００２１】
また、全体がプラスチックで形成されているので、体裁よく、特に四周側面には風景その他の意匠区画部２が表示されているので、どんな場所でも違和感なく使用できて、きわめて用途性が高い。
【図面の簡単な説明】
【００２２】
【図１】本考案に係るプラスチック製折り曲げ組立可能の屑入れ箱の一実施例を示す展開図
【図２】図１の組立状態の平面図
【図３】図１の組立状態の底面図
【符号の説明】
【００２３】
１  平板状のプラスチック切裁材料（平板状のプラスチック積層版に相当）
１ａ  透明板
１ｂ  彩色板
１ｃ  意匠板
２  意匠区画部
３  止板部
４  係止板部
５  開口部
６  底面
７，８，９，１０  止片
１１  表面
１２  のり代
１３  箱本体
【図１】
0003115895.tif 000003
【図２】
0003115895.tif 000004
【図３】
0003115895.tif 000005